(57)【特許請求の範囲】
【請求項１】
ガス管の水溜り個所の外側に、分岐口を有する継手部材を管をはさんで上下に取り付け、下側の継手部材の分岐口に水タンクを接続し、上側の継手部材の分岐口からドリルにより管の上側壁と下側壁を穿孔した後、ノーブロー工法によりドリルを外して上側の継手部材の分岐口にプラグを装着し、この状態においてガス管内の水を下側の継手部材の分岐口から水タンク内に排出し及び差し水修理工事完了後、ノーブロー工法により上側のプラグを外して下側の穿孔部に穿孔部ストッパーを挿入し、この状態において水タンクを外して分岐口にプラグを装着した後、ノーブロー工法により穿孔部ストッパーを外して上側の分岐口にプラグを装着することを特徴とするガス管内の水取り方法
【請求項２】
継手部材はクランプであることを特徴とする請求項１記載のガス管内の水取り方法
【請求項３】
継手部材は割スリーブであることを特徴とする請求項１記載のガス管内の水取り方法
【発明の詳細な説明】
【０００１】
【発明の属する技術分野】
本発明はガス管内に溜った水を排出するための水取り方法に関するものである。
【０００２】
【従来の技術】
ガス管内に水が浸入してガスの供給不良が発生した場合、従来は  、浸入個所の特定、修理までの間、例えば図７に示すように、水溜まり個所の上流と下流間にバイパス路を設置した後、管を切断し、ティー等を用いた専用の水取器を設置して排出を行い、差し水修理工事を行っていた。
【０００３】
【発明が解決しようとする課題】
このような方法では、水取器の設置、撤去のために２回も管路を切断する必要があるため、ａ．大規模な掘削が必要である、ｂ．バイパス路を設置する必要がある、ｃ．切断、接続工事が必要である、ｄ．ガスの一時遮断を伴うため需要家へのＰＲが必要となる等、大規模な工事となってしまう。
そこで本発明では、このような従来の方法の課題を解決することを目的とするものである。
【０００４】
【課題を解決するための手段】
上述した課題を解決するために、本発明では、ガス管の水溜り個所の外側に、分岐口を有する継手部材を管をはさんで上下に取り付け、下側の継手部材の分岐口に水タンクを接続し、上側の継手部材の分岐口からドリルにより管の上側壁と下側壁を穿孔した後、ノーブロー工法によりドリルを外して上側の継手部材の分岐口にプラグを装着し、この状態においてガス管内の水を下側の継手部材の分岐口から水タンク内に排出及び差し水修理工事完了後、ノーブロー工法により上側のプラグを外して下側の穿孔部に穿孔部ストッパーを挿入し、この状態において水タンクを外して分岐口にプラグを装着した後、ノーブロー工法により穿孔部ストッパーを外して上側の分岐口にプラグを装着するガス管内の水取り方法を提案する。
【０００５】
このような方法においては、供給管取出工事等に広く使用されているノーブロー工法を用いることにより、ガスの供給の一時遮断、バイパス路の設置、管路の切断接続等の工事が不要となり、工事が簡素となる。
【０００６】
尚、以上の方法の継手部材は、分岐口を有するものであれば、クランプや割スリーブを適用することができる。
【０００７】
【発明の実施の形態】
次に本発明の実施の形態を図１〜図６を参照して説明する。
符号１は分岐口２を有するクランプであり、このクランプ１の一対をまず図１に示すように、ガス管３の水溜り個所ａ  の外側を挟み、ボルトナット４等で結合して上下に取り付ける。上側のクランプを１ａ、下側のクランプを１ｂと符号を付す。尚、クランプ１に替えて割スリーブを使用することもできる。
【０００８】
次いで図２に示すように、下側のクランプ１ｂの分岐口２ｂに水タンク５に至るホースや鉄管等６を接続する。
【０００９】
次いで図３に示すように上側のクランプ１ａの分岐口２ａからドリル７によりガス管３の上側壁と下側壁を穿孔する。
【００１０】
次いでノーブロー工法を適用し、ノーブローバック８を分岐口２ａに装着した状態でドリル７を外し、そして分岐口２ａにプラグ９ａを装着する。
【００１１】
以上の状態でガス管３内に溜っている水を下側の分岐口２ｂからホース６を経て水タンク５に排出する。
【００１２】
このようにしてガス管３内の水の排出及び差し水個所の修理が完了したら、ノーブローバック８を使用して上側のプラグ９ａを外すと共に、下側壁の穿孔部１０ｂに穿孔部ストッパー１１を挿入する。このようにして下側の穿孔部１０ｂを気密状態に保持しながら、水タンク５を外して分岐口２ｂにプラグ９ｂを装着する。
【００１３】
次いでこの状態において、ノーブローバッグ８を用いて穿孔部ストッパー１１を外し、  再び上側の分岐口２ａにプラグ９ａを装着して工事を完了する。
【００１４】
尚、以上に説明したノーブローバッグ８を用いる等のノーブロー工法は、供給管の分岐作業等において広く使用されている公知技術であるので、詳細な説明は省略する。
【００１５】
以上説明したように本発明では、一対の継手部材とノーブロー工法とを利用することにより、ノーブローでガス管３内に溜まった水を排出することができ、上述した従来のような大掛かりな工事は不要である。また、水を排出したガス管の個所は、上下の壁に穿孔部１０ａ，１０ｂを形成しても、分岐口２ａ，２ｂを有するクランプ１ａ，１ｂ  によって保持するので、通常のクランプで支持するよりも大きな強度とすることができる。
【００１６】
【発明の効果】
本発明は以上の通り、供給管取出工事等に広く使用されているノーブロー工法を用いることにより、ガスの供給の一時遮断、バイパス路の設置、管路の切断接続等の工事を行わずにガス管内に溜った水を排出することができ、工事が簡素化されると共に需要家へのＰＲも不要になるというような効果がある。
【図面の簡単な説明】
【図１】本発明の方法による水取り作業の過程を示す説明図である。
【図２】本発明の方法による水取り作業の図１の過程の次の過程を示す説明図である。
【図３】本発明の方法による水取り作業の図２の過程の次の過程を示す説明図である。
【図４】本発明の方法による水取り作業の図３の過程の次の過程を示す説明図である。
【図５】本発明の方法による水取り作業の図４の過程の次の過程を示す説明図である。
【図６】本発明の方法による水取り作業の図５の過程の次の過程を示す説明図である。
【図７】従来の水取り作業を示す説明図である。
【符号の説明】
１ａ，１ｂ                クランプ（継手部材）
２ａ．２ｂ                分岐口
３                        ガス管
４                        ボルトナット
５                        水タンク
６                        ホースや鉄管等
７                        ドリル
８                        ノーブローバッグ
９ａ，９ｂ                プラグ
１０ａ．１０ｂ            穿孔部
１１                      穿孔部ストッパー
【図１】
0003565460.tif 000002
【図２】
0003565460.tif 000003
【図３】
0003565460.tif 000004
【図４】
0003565460.tif 000005
【図５】
0003565460.tif 000006
【図６】
0003565460.tif 000007
【図７】
0003565460.tif 000008